(57)【特許請求の範囲】
【請求項１】
移動局が、ＳＩＰサーバに対して、圧縮状態の登録信号を送信する工程と、
前記ＳＩＰサーバが、前記圧縮状態の登録信号に応じて、前記移動局に対して、圧縮処理の要否を示す設定情報を含むエラー信号を送信する工程と、
前記移動局が、前記設定情報によって前記圧縮処理が不要であることが示されている場合、前記ＳＩＰサーバに対して、登録信号を含む全てのＳＩＰ信号を非圧縮状態で送信する工程と、
前記非圧縮状態の登録信号に応じて、前記移動局のＩＭＳへの登録処理を開始する工程とを有することを特徴とする移動通信方法。
【請求項２】
移動局が、ＳＩＰサーバに対して、非圧縮状態の第１登録信号を送信する工程と、
前記非圧縮状態の第１登録信号に応じて、前記移動局のＩＭＳへの登録処理を開始する工程とを有し、
前記移動局のＩＭＳへの登録処理は、
前記ＳＩＰサーバが、前記非圧縮状態の第１登録信号に応じて、前記移動局に対して、圧縮処理の要否を示す設定情報を含む応答信号を送信する工程と、
前記移動局が、前記設定情報によって前記圧縮処理が不要であることが示されている場合、前記ＳＩＰサーバに対して、第２登録信号を含む全てのＳＩＰ信号を非圧縮状態で送信する工程と、
前記非圧縮状態の第２登録信号に応じて、前記移動局をＩＭＳに登録する工程とを有することを特徴とする移動通信方法。
【請求項３】
移動局から受信した圧縮状態の登録信号に応じて、該移動局に対して、圧縮処理の要否を示す設定情報を含むエラー信号を送信するように構成されている送信部と、
前記設定情報が、前記圧縮処理が不要であることを示している場合、前記移動局から、前記非圧縮状態の登録信号を受信するように構成されている受信部とを具備しており、
前記送信部は、上位のＳＩＰサーバに対して、前記非圧縮状態の登録信号を送信するように構成されていることを特徴とするＳＩＰサーバ。
【請求項４】
移動局から、非圧縮状態の第１登録信号を受信するように構成されている受信部と、
前記非圧縮状態の第１登録信号に応じて、前記移動局に対して、圧縮処理の要否を示す設定情報を含む応答信号を送信するように構成されている送信部とを具備しており、
前記設定情報が、前記圧縮処理が不要であることを示している場合で、かつ、前記受信部が、非圧縮状態の第２登録信号を受信した場合に、前記送信部は、上位のＳＩＰサーバに対して、該非圧縮状態の第２登録信号を送信するように構成されていることを特徴とするＳＩＰサーバ。
【請求項５】
前記移動局との間で用いられている無線アクセスネットワークの種別に応じて、前記圧縮処理の要否を決定するように構成されている決定部を具備することを特徴とする請求項３又は４に記載のＳＩＰサーバ。
【請求項６】
前記移動局がローミングしているか否かに応じて、前記圧縮処理の要否を決定するようにするように構成されている決定部を具備することを特徴とする請求項３又は４に記載のＳＩＰサーバ。
【請求項７】
ＳＩＰサーバに対して、圧縮状態の登録信号を送信するように構成されている送信部と、
前記ＳＩＰサーバから、圧縮処理の要否を示す設定情報を含むエラー信号を受信するように構成されている受信部とを具備しており、
前記送信部は、前記設定情報によって前記圧縮処理が不要であることが示されている場合、前記ＳＩＰサーバに対して、登録信号を含む全てのＳＩＰ信号を非圧縮状態で送信するように構成されていることを特徴とする移動局。
【請求項８】
ＳＩＰサーバに対して、非圧縮状態の第１登録信号を送信するように構成されている送信部と、
前記ＳＩＰサーバから、圧縮処理の要否を示す設定情報を含む応答信号を受信するように構成されている受信部とを具備しており、
前記送信部は、前記設定情報によって前記圧縮処理が不要であることが示されている場合、前記ＳＩＰサーバに対して、第２登録信号を含む全てのＳＩＰ信号を非圧縮状態で送信するように構成されていることを特徴とする移動局。
【発明の詳細な説明】
【技術分野】
【０００１】
本発明は、移動通信方法、ＳＩＰサーバ及び移動局に関する。
【背景技術】
【０００２】
ＧＳＭＡやＩＥＴＦや３ＧＰＰ等の標準化団体において、Ｐ-ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）とＵＥ（Ｕｓｅｒ  Ｅｑｕｉｐｍｅｎｔ、移動局）との間の全ての制御信号、すなわち、ＳＩＰ（Ｓｅｓｓｉｏｎ    Ｉｎｉｔｉａｔｉｏｎ  Ｐｒｏｔｏｃｏｌ）信号を圧縮する技術として「ＳｉｇＣｏｍｐ（Ｓｉｇｎａｌｌｉｎｇ  Ｃｏｍｐｒｅｓｓｉｏｎ）」機能が規定されている（例えば、非特許文献１及び２参照）。かかる「ＳｉｇＣｏｍｐ」機能は、ＵＥにおける対応が必須の機能である。
【０００３】
ここで、各ＵＥのホームネットワークが、「ＯＭＡ  ＤＭ（端末遠隔設定書き込み方式）」によって、各ＵＥにおける「ＳｉｇＣｏｍｐ」機能のオン/オフ制御を行うことができるように構成されている（例えば、非特許文献２及び３参照）。
【先行技術文献】
【非特許文献】
【０００４】
【非特許文献１】ＧＳＭＡ  ＰＲＤ  ＩＲ.９２
【非特許文献２】３ＧＰＰ  ＴＳ２４.２２９
【非特許文献３】３ＧＰＰ  ＴＳ２４.１６７
【発明の概要】
【発明が解決しようとする課題】
【０００５】
しかしながら、上述の技術では、各ＵＥのホームネットワークによる「ＳｉｇＣｏｍｐ」機能のオン/オフ制御が認められているに過ぎず、別のネットワークからローミングしてくるＵＥに対しては、「ＳｉｇＣｏｍｐ」機能のオン/オフ制御を行うことができないという問題点があった。
【０００６】
したがって、通信事業者は、非ローミング中のＵＥに対して「ＳｉｇＣｏｍｐ」機能を提供しないと決定している場合であっても、ローミング中のＵＥに対して「ＳｉｇＣｏｍｐ」機能を提供するために、Ｐ-ＣＳＣＦに「ＳｉｇＣｏｍｐ」機能を実装する必要があり、設備投資が増加してしまうと共に、Ｐ-ＣＳＣＦの処理の応力が落ちてしまうという問題点があった。
【０００７】
また、在圏ネットワーク内のＰ-ＣＳＣＦにおいて「ＳｉｇＣｏｍｐ」機能が実装されていない場合に、ローミング中のＵＥから圧縮状態の制御信号が送信されると、Ｐ-ＣＳＣＦは、かかる制御信号を解凍することができないため、かかるＵＥに対して通信サービスを提供することができなくなってしまうという問題点があった。
【０００８】
そこで、本発明は、上述の課題に鑑みてなされたものであり、ローミング中のＵＥにおける「ＳｉｇＣｏｍｐ」機能のオン/オフ制御を行うことができる移動通信方法、ＳＩＰサーバ及び移動局を提供することを目的とする。
【課題を解決するための手段】
【０００９】
本発明の第１の特徴は、移動通信方法であって、移動局が、ＳＩＰサーバに対して、圧縮状態の登録信号を送信する工程と、前記ＳＩＰサーバが、前記圧縮状態の登録信号に応じて、前記移動局に対して、圧縮処理の要否を示す設定情報を含むエラー信号を送信する工程と、前記移動局が、前記設定情報によって前記圧縮処理が不要であることが示されている場合、前記ＳＩＰサーバに対して、登録信号を含む全てのＳＩＰ信号を非圧縮状態で送信する工程と、前記非圧縮状態の登録信号に応じて、前記移動局のＩＭＳへの登録処理を開始する工程とを有することを要旨とする。
【００１０】
本発明の第２の特徴は、移動通信方法であって、移動局が、ＳＩＰサーバに対して、非圧縮状態の第１登録信号を送信する工程と、前記非圧縮状態の第１登録信号に応じて、前記移動局のＩＭＳへの登録処理を開始する工程とを有し、前記移動局のＩＭＳへの登録処理は、前記ＳＩＰサーバが、前記非圧縮状態の第１登録信号に応じて、前記移動局に対して、圧縮処理の要否を示す設定情報を含む応答信号を送信する工程と、前記移動局が、前記設定情報によって前記圧縮処理が不要であることが示されている場合、前記ＳＩＰサーバに対して、第２登録信号を含む全てのＳＩＰ信号を非圧縮状態で送信する工程と、前記非圧縮状態の第２登録信号に応じて、前記移動局をＩＭＳに登録する工程とを有することを要旨とする。
【００１１】
本発明の第３の特徴は、ＳＩＰサーバであって、移動局から受信した圧縮状態の登録信号に応じて、該移動局に対して、圧縮処理の要否を示す設定情報を含むエラー信号を送信するように構成されている送信部と、前記設定情報が、前記圧縮処理が不要であることを示している場合、前記移動局から、前記非圧縮状態の登録信号を受信するように構成されている受信部とを具備しており、前記送信部は、上位のＳＩＰサーバに対して、前記非圧縮状態の登録信号を送信するように構成されていることを要旨とする。
【００１２】
本発明の第４の特徴は、ＳＩＰサーバであって、移動局から、非圧縮状態の第１登録信号を受信するように構成されている受信部と、前記非圧縮状態の第１登録信号に応じて、前記移動局に対して、圧縮処理の要否を示す設定情報を含む応答信号を送信するように構成されている送信部とを具備しており、前記設定情報が、前記圧縮処理が不要であることを示している場合で、かつ、前記受信部が、非圧縮状態の第２登録信号を受信した場合に、前記送信部は、上位のＳＩＰサーバに対して、該非圧縮状態の第２登録信号を送信するように構成されていることを要旨とする。
【００１３】
本発明の第５の特徴は、移動局であって、ＳＩＰサーバに対して、圧縮状態の登録信号を送信するように構成されている送信部と、前記ＳＩＰサーバから、圧縮処理の要否を示す設定情報を含むエラー信号を受信するように構成されている受信部とを具備しており、前記送信部は、前記設定情報によって前記圧縮処理が不要であることが示されている場合、前記ＳＩＰサーバに対して、登録信号を含む全てのＳＩＰ信号を非圧縮状態で送信するように構成されていることを要旨とする。
【００１４】
本発明の第６の特徴は、移動局であって、ＳＩＰサーバに対して、非圧縮状態の第１登録信号を送信するように構成されている送信部と、前記ＳＩＰサーバから、圧縮処理の要否を示す設定情報を含む応答信号を受信するように構成されている受信部とを具備しており、前記送信部は、前記設定情報によって前記圧縮処理が不要であることが示されている場合、前記ＳＩＰサーバに対して、第２登録信号を含む全てのＳＩＰ信号を非圧縮状態で送信するように構成されていることを要旨とする。
【発明の効果】
【００１５】
以上説明したように、本発明によれば、ローミング中のＵＥにおける「ＳｉｇＣｏｍｐ」機能のオン/オフ制御を行うことができる移動通信方法、ＳＩＰサーバ及び移動局を提供することができる。
【図面の簡単な説明】
【００１６】
【図１】本発明の第１の実施形態に係る移動通信システムの全体構成図である。
【図２】本発明の第１の実施形態に係るＰ-ＣＳＣＦの機能ブロック図である。
【図３】本発明の第１の実施形態に係るＵＥの機能ブロック図である。
【図４】本発明の第１の実施形態に係る移動通信システムの動作について示すシーケンス図である。
【図５】本発明の変更例１に係る移動通信システムの動作について示すシーケンス図である。
【発明を実施するための形態】
【００１７】
（本発明の第１の実施形態に係る移動通信システム）
図１乃至図４を参照して、本発明の第１の実施形態に係る移動通信システムについて説明する。
【００１８】
図１に示すように、本実施形態に係る移動通信システムは、ＨＳＳ（Ｈｏｍｅ  Ｓｕｂｓｃｒｉｂｅｒ  Ｓｅｒｖｅｒ、加入者管理サーバ）と、Ｓ-ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ）と、Ｉ-ＣＳＣＦ（ＩｎｔｅｒｒｏｇａｔｉｎｇＣａｌｌ  Ｓｅｓｓｉｏｎ  Ｃｏｎｔｒｏｌ  Ｆｕｎｃｔｉｏｎ）と、Ｐ-ＣＳＣＦと、ＩＰ-ＣＡＮ（ＩＰ-Ｃｏｎｎｅｃｔｉｖｉｔｙ  Ａｃｃｅｓｓ  Ｎｅｔｗｏｒｋ）とを具備している。
【００１９】
Ｓ-ＣＳＣＦは、ＵＥの登録及び提供サービス情報の管理や、セッションの管理や、アプリケーションサーバの選択等の機能を提供するＳＩＰサーバ（ＳＩＰルータ）であり、Ｉ-ＣＳＣＦは、ＵＥが収容されるべきＳ-ＣＳＣＦを特定する機能を提供するＳＩＰサーバであり、Ｐ-ＣＳＣＦは、ＵＥが最初にＳＩＰ信号を送信するＳＩＰサーバである。
【００２０】
ＩＰ-ＣＡＮには、ＥＰＣ（Ｅｖｏｌｖｅｄ  Ｐａｃｋｅｔ  Ｃｏｒｅ）やＧＰＲＳ（Ｇｅｎｅｒａｌ  Ｐａｃｋｅｔ  Ｒａｄｉｏ  Ｓｅｒｖｉｃｅ）等が含まれる。
【００２１】
なお、ローミング中のＵＥの通信は、ホームネットワーク内のＨＳＳやＳ-ＣＳＣＦやＩ-ＣＳＣＦ、及び、在圏ネットワーク内のＰ-ＣＳＣＦによって処理されるように構成されている。
【００２２】
図２に示すように、Ｐ-ＣＳＣＦは、受信部１１と、決定部１２と、送信部１３とを具備している。
【００２３】
受信部１１は、ＵＥから、例えば、「ＲＥＧＩＳＴＥＲ」等のＳＩＰ信号を受信し、Ｉ-ＣＳＣＦから、例えば、「４０１」や「２００（ＯＫ）」等のＳＩＰ信号を受信するように構成されている。
【００２４】
送信部１３は、ＵＥに対して、例えば、「４０１」や「２００（ＯＫ）」等のＳＩＰ信号やエラー信号（後述）を送信し、Ｉ-ＣＳＣＦに対して、「ＲＥＧＩＳＴＥＲ」等のＳＩＰ信号を送信するように構成されている。
【００２５】
決定部１２は、ＵＥにおける「ＳｉｇＣｏｍｐ」機能のオン/オフ、すなわち、ＵＥとＰ-ＣＳＣＦとの間の全てのＳＩＰ信号に対して圧縮処理を行うべきか否かについて決定するように構成されている。
【００２６】
例えば、決定部１２は、ＵＥとの間で用いられているＩＰ-ＣＡＮの種別に応じて、圧縮処理の要否を決定するように構成されていてもよい。
【００２７】
ここで、ＩＰ-ＣＡＮとして、広帯域の無線方式であるＥＰＣが用いられている場合、「ＳｉｇＣｏｍｐ」機能によるＳＩＰ信号の圧縮処理による効果は限定的なものになる。したがって、決定部１２は、ＩＰ-ＣＡＮとして、ＥＰＣが用いられている場合、「ＳｉｇＣｏｍｐ」機能をオフにするように決定してもよい。
【００２８】
一方、ＩＰ-ＣＡＮとして、ＧＰＲＳが用いられている場合、「ＳｉｇＣｏｍｐ」機能によるＳＩＰ信号の圧縮処理による効果はある。したがって、決定部１２は、ＩＰ-ＣＡＮとして、ＧＰＲＳが用いられている場合、「ＳｉｇＣｏｍｐ」機能をオンにするように決定してもよい。
【００２９】
また、決定部１２は、ＵＥがローミングしているか否かに応じて、圧縮処理の要否を決定するようにするように構成されていてもよい。
【００３０】
例えば、決定部１２は、ローミング中のＵＥに対してのみ、上述の圧縮処理の要否を決定するように構成されていてもよい。
【００３１】
受信部１１が、ＵＥから圧縮状態の「ＲＥＧＩＳＴＲＥＲ」を受信した場合、送信部１３は、ＵＥに対して、決定部１２によって決定された圧縮処理の要否を示す設定情報を含むエラー信号を送信するように構成されている。
【００３２】
ここで、かかるエラー信号は、ＳＩＰ信号である「４０１」であってもよいし、他の信号であってもよい。
【００３３】
また、かかる設定情報は、「ＳｉｇＣｏｍｐ」機能が「ＯＮ」であるか「ＯＦＦ」であるかを示すフラグであってもよいし、「ＳｉｇＣｏｍｐ」機能をサポートしているか否かについて示す情報であってもよい。
【００３４】
図３に示すように、ＵＥは、送信部２１と、受信部２２とを具備している。
【００３５】
送信部２１は、Ｐ-ＣＳＣＦに対して、「ＲＥＧＩＳＴＥＲ」等のＳＩＰ信号を送信するように構成されている。
【００３６】
受信部２２は、Ｐ-ＣＳＣＦから、例えば、「４０１」や「２００（ＯＫ）」等のＳＩＰ信号やエラー信号を受信するように構成されている。
【００３７】
ここで、送信部２１は、エラー信号に含まれる設定情報に基づいて、Ｐ-ＣＳＣＦに対して送信する「ＲＥＧＩＳＴＥＲ」について、圧縮処理を施すべきか否かについて決定するように構成されている。
【００３８】
なお、送信部２１は、ＩＭＳ（ＩＰ  Ｍｕｌｔｉｍｅｄｉａ  Ｓｕｂｓｙｓｔｅｍ）への登録処理を行うために最初に送信する「ＲＥＧＩＳＴＥＲ」については、圧縮処理を施して送信するように構成されている。
【００３９】
以下、図４を参照して、本実施形態に係る移動通信システムにおいてＵＥのＩＭＳへの登録処理を行う際の動作について説明する。
【００４０】
図４に示すように、ステップＳ１００１において、ＵＥは、Ｐ-ＣＳＣＦに対して、圧縮状態の「ＲＥＧＩＳＴＥＲ」を送信する。
【００４１】
ここで、ＵＥは、かかる「ＲＥＧＩＳＴＥＲ」によって、「ＳｉｇＣｏｍｐ」機能をオンにしたい旨の意思表示又は「ＳｉｇＣｏｍｐ」機能をオフにしたい旨の意思表示を行ってもよい。
【００４２】
ステップＳ１００２において、Ｐ-ＣＳＣＦは、Ｉ-ＣＳＣＦに対して、かかる「ＲＥＧＩＳＴＥＲ」を転送することなく、ＵＥに対して、上述の設定情報を含むエラー信号（例えば、「４０１」）を送信する。
【００４３】
ここで、Ｐ-ＣＳＣＦは、ＩＰ-ＣＡＮの種別やローミング中であるか否か等に基づいて、圧縮処理を施すべきか否かについて、すなわち、「ＳｉｇＣｏｍｐ」機能のオン/オフについて決定し、かかる決定結果に基づいて設定情報を生成する。
【００４４】
ステップＳ１００３において、ＵＥは、エラー信号に含まれている設定情報に基づいて、「ＳｉｇＣｏｍｐ」機能のオン/オフ制御を行う。
【００４５】
図４の例では、ＵＥがローミング中であり、ＩＰ-ＣＡＮがＥＰＣであるため、かかる設定情報によって、「ＳｉｇＣｏｍｐ」機能をオフにすべきである、すなわち、圧縮処理は不要であると示されているものとする。
【００４６】
ステップＳ１００３において、ＵＥは、Ｐ-ＣＳＣＦに対して、非圧縮状態の「ＲＥＧＩＳＴＥＲ」を送信する。
【００４７】
なお、非圧縮状態の「ＲＥＧＩＳＴＥＲ」の送信を契機に、３ＧＰＰのＴＳ２３.２２８に規定されているＵＥのＩＭＳへの登録処理が開始される。以下、かかる登録処理について簡単に説明する。
【００４８】
具体的には、ステップＳ１００４において、Ｐ-ＣＳＣＦは、Ｉ-ＣＳＣＦに対して、「ＲＥＧＩＳＴＥＲ」を送信し、Ｉ-ＣＳＣＦは、ステップＳ１００５において、ＵＥを収容すべきＳ-ＣＳＣＦを特定し、ステップＳ１００６において、Ｓ-ＣＳＣＦに対して、「ＲＥＧＩＳＴＥＲ」を送信する。
【００４９】
ステップＳ１００７において、Ｓ-ＣＳＣＦとＨＳＳとの間で「ＡＵＴＨＥＮＴＩＣＡＴＩＯＮ」処理が行われる。
【００５０】
ステップＳ１００８において、Ｓ-ＣＳＣＦは、Ｉ-ＣＳＣＦに対して、「４０１」を送信し、ステップＳ１００９において、Ｉ-ＣＳＣＦは、Ｐ-ＣＳＣＦに対して、「４０１」を送信し、ステップＳ１０１０において、Ｐ-ＣＳＣＦは、ＵＥに対して、「４０１」を送信する。かかる「４０１」には、ＵＥのセキュリティ情報が含まれている。
【００５１】
ステップＳ１０１１において、ＵＥは、Ｐ-ＣＳＣＦに対して、非圧縮状態の「ＲＥＧＩＳＴＥＲ」を送信する。ＵＥは、かかる「ＲＥＧＩＳＴＥＲ」に、ＵＥのセキュリティ情報を含める。また、ＵＥは、その後発生し得る全てのＳＩＰ信号について、非圧縮状態でＰ-ＣＳＣＦに送信する。
【００５２】
ステップＳ１０１２において、Ｐ-ＣＳＣＦは、Ｉ-ＣＳＣＦに対して、「ＲＥＧＩＳＴＥＲ」を送信し、Ｉ-ＣＳＣＦは、ステップＳ１０１３において、ＵＥを収容すべきＳ-ＣＳＣＦを特定し、ステップＳ１０１４において、Ｓ-ＣＳＣＦに対して、「ＲＥＧＩＳＴＥＲ」を送信する。  
Ｓ-ＣＳＣＦは、ステップＳ１０１５において、ＨＳＳから、ＵＥの契約情報を取得し、ステップＳ１０１６において、Ｉ-ＣＳＣＦに対して、「２００（ＯＫ）」を送信し、ステップＳ１０１７において、Ｉ-ＣＳＣＦは、Ｐ-ＣＳＣＦに対して、「２００（ＯＫ）」を送信し、ステップＳ１０１８において、Ｐ-ＣＳＣＦは、ＵＥに対して、「２００（ＯＫ）」を送信する。
【００５３】
本発明の第１の実施形態に係る移動通信システムによれば、Ｐ-ＣＳＣＦが、ＵＥから、圧縮状態の「ＲＥＧＩＳＴＥＲ」を受信した場合には、ＵＥにおける「ＳｉｇＣｏｍｐ」機能のオン/オフを決定し、かかる決定結果に基づいて生成されたエラー信号を送信して、その後、ＵＥから、再度、非圧縮状態の「ＲＥＧＩＳＴＥＲ」を受信することができる。
【００５４】
かかるスキームを用いることによって、ローミング中のＵＥにおける「ＳｉｇＣｏｍｐ」機能のオン/オフを行うことができる。
【００５５】
（変更例１）
図５を参照して、本発明の変更例１に係る移動通信システムについて説明する。以下、本変更例１に係る移動通信システムについて、上述の第１の実施形態に係る移動通信システムとの相違点に着目して説明する。
【００５６】
３ＧＰＰのＴＳ２３.２２８に規定されているＵＥのＩＭＳへの登録処理において、本変更例１に係るＰ-ＣＳＣＦの受信部１１が、ＵＥから非圧縮状態の「ＲＥＧＩＳＴＲＥＲ」を受信した場合、本変更例１に係るＰ-ＣＳＣＦの送信部１３は、ＵＥに対して、決定部１２によって決定された圧縮処理の要否を示す設定情報を含む「４０１」を送信するように構成されている。
【００５７】
なお、送信部１３は、ローミング中のＵＥに対してのみ、設定情報を含む「４０１」を送信するように構成されていてもよい。
【００５８】
また、３ＧＰＰのＴＳ２３.２２８に規定されているＵＥのＩＭＳへの登録処理において、本変更例１に係るＵＥの送信部２１は、「４０１」に含まれる設定情報に基づいて、Ｐ-ＣＳＣＦに対して送信する「ＲＥＧＩＳＴＥＲ」について、圧縮処理を施すべきか否かについて決定するように構成されている。
【００５９】
なお、送信部２１は、かかるＩＭＳへの登録処理において最初に送信する「ＲＥＧＩＳＴＥＲ」については、圧縮処理を施さずに送信するように構成されている。
【００６０】
以下、図５を参照して、本変更例１に係る移動通信システムにおいてＵＥのＩＭＳへの登録処理を行う際の動作について説明する。
【００６１】
図５に示すように、ステップＳ２００１において、ＵＥは、Ｐ-ＣＳＣＦに対して、非圧縮状態の「ＲＥＧＩＳＴＥＲ」を送信する。
【００６２】
ここで、ＵＥは、かかる「ＲＥＧＩＳＴＥＲ」によって、「ＳｉｇＣｏｍｐ」機能をオンにしたい旨の意思表示又は「ＳｉｇＣｏｍｐ」機能をオフにしたい旨の意思表示を行ってもよい。
【００６３】
なお、非圧縮状態の「ＲＥＧＩＳＴＥＲ」の送信を契機に、３ＧＰＰのＴＳ２３.２２８に規定されているＵＥのＩＭＳへの登録処理が開始される。以下、かかる登録処理について簡単に説明する。
【００６４】
具体的には、ステップＳ２００２において、Ｐ-ＣＳＣＦは、Ｉ-ＣＳＣＦに対して、「ＲＥＧＩＳＴＥＲ」を送信し、Ｉ-ＣＳＣＦは、ステップＳ２００３において、ＵＥを収容すべきＳ-ＣＳＣＦを特定し、ステップＳ２００４において、Ｓ-ＣＳＣＦに対して、「ＲＥＧＩＳＴＥＲ」を送信する。
【００６５】
ステップＳ２００５において、Ｓ-ＣＳＣＦとＨＳＳとの間で「ＡＵＴＨＥＮＴＩＣＡＴＩＯＮ」処理が行われる。
【００６６】
ステップＳ２００６において、Ｓ-ＣＳＣＦは、Ｉ-ＣＳＣＦに対して、「４０１」を送信し、ステップＳ２００７において、Ｉ-ＣＳＣＦは、Ｐ-ＣＳＣＦに対して、「４０１」を送信する。
【００６７】
ここで、Ｐ-ＣＳＣＦは、ＩＰ-ＣＡＮの種別やローミング中であるか否か等に基づいて、圧縮処理を施すべきか否かについて、すなわち、「ＳｉｇＣｏｍｐ」機能のオン/オフについて決定し、かかる決定結果に基づいて設定情報を生成する。
【００６８】
ステップＳ２００８において、Ｐ-ＣＳＣＦは、ＵＥに対して、上述の設定情報を含む「４０１」を送信する。
【００６９】
ステップＳ２００９において、ＵＥは、受信した「４０１」に含まれている設定情報に基づいて、「ＳｉｇＣｏｍｐ」機能のオン/オフ制御を行う。また、ＵＥは、その後発生し得る全てのＳＩＰ信号について、非圧縮状態でＰ-ＣＳＣＦに送信する。
【００７０】
図５の例では、ＵＥがローミング中であり、ＩＰ-ＣＡＮがＥＰＣであるため、かかる設定情報によって、「ＳｉｇＣｏｍｐ」機能をオフにすべきである、すなわち、圧縮処理は不要であると示されているものとする。
【００７１】
ステップＳ２００９において、ＵＥは、Ｐ-ＣＳＣＦに対して、非圧縮状態の「ＲＥＧＩＳＴＥＲ」を送信する。
【００７２】
以下、ステップＳ２０１０乃至Ｓ２０１６の動作は、図４に示すステップＳ１０１２乃至Ｓ１０１８の動作と同一である。
【００７３】
本発明の変更例１に係る移動通信システムによれば、Ｐ-ＣＳＣＦが、ＵＥから、非圧縮状態の「ＲＥＧＩＳＴＥＲ」を受信した場合には、ＵＥにおける「ＳｉｇＣｏｍｐ」機能のオン/オフを決定し、かかる決定結果に基づいて生成された「４０１」を送信することができる。
【００７４】
かかるスキームを用いることによって、ローミング中のＵＥにおける「ＳｉｇＣｏｍｐ」機能のオン/オフを行うことができる。
【００７５】
以上に述べた本実施形態の特徴は、以下のように表現されていてもよい。
【００７６】
本実施形態の第１の特徴は、移動通信方法であって、ＵＥ（移動局）が、Ｐ-ＣＳＣＦ（ＳＩＰサーバ）に対して、圧縮状態の「ＲＥＧＩＳＴＲＥＲ（登録信号）」を送信する工程（ステップＳ１００１）と、Ｐ-ＣＳＣＦが、圧縮状態の「ＲＥＧＩＳＴＲＥＲ」に応じて、ＵＥに対して、圧縮処理の要否を示す設定情報を含むエラー信号（例えば、ＳＩＰ信号「４０１」）を送信する工程（ステップＳ１００２）と、ＵＥが、設定情報によって圧縮処理が不要であることが示されている場合、Ｐ-ＣＳＣＦに対して、「ＲＥＧＩＳＴＲＥＲ（登録信号）」を含む全てのＳＩＰ信号を非圧縮状態で送信する工程（ステップＳ１００３）と、非圧縮状態の「ＲＥＧＩＳＴＲＥＲ」に応じて、ＵＥのＩＭＳへの登録処理を開始する工程（ステップＳ１００４）とを有することを要旨とする。
【００７７】
本実施形態の第２の特徴は、移動通信方法であって、ＵＥが、Ｐ-ＣＳＣＦに対して、非圧縮状態の「ＲＥＧＩＳＴＲＥＲ（第１登録信号）」を送信する工程（ステップ２００１）と、非圧縮状態の「ＲＥＧＩＳＴＲＥＲ」に応じて、ＵＥのＩＭＳへの登録処理を開始する工程（ステップＳ２００２）とを有し、ＵＥのＩＭＳへの登録処理は、Ｐ-ＣＳＣＦが、非圧縮状態の「ＲＥＧＩＳＴＲＥＲ」に応じて、ＵＥに対して、圧縮処理の要否を示す設定情報を含む「４０１（応答信号）」を送信する工程と、ＵＥが、設定情報によって圧縮処理が不要であることが示されている場合、Ｐ-ＣＳＣＦに対して、「ＲＥＧＩＳＴＲＥＲ（第２登録信号）」を含む全てのＳＩＰ信号を非圧縮状態で送信する工程（ステップＳ２００９）と、非圧縮状態の「ＲＥＧＩＳＴＲＥＲ」に応じて、ＵＥをＩＭＳに登録する工程（ステップＳ２０１０〜）とを有することを要旨とする。
【００７８】
本実施形態の第３の特徴は、Ｐ-ＣＳＣＦであって、ＵＥから受信した圧縮状態の「ＲＥＧＩＳＴＲＥＲ」に応じて、ＵＥに対して、圧縮処理の要否を示す設定情報を含むエラー信号を送信するように構成されている送信部１３と、設定情報が、圧縮処理が不要であることを示している場合、ＵＥから、非圧縮状態の「ＲＥＧＩＳＴＲＥＲ」を受信するように構成されている受信部１１とを具備しており、送信部１３は、Ｉ-ＣＳＣＦ（上位のＳＩＰサーバ）に対して、非圧縮状態の「ＲＥＧＩＳＴＲＥＲ」を送信するように構成されていることを要旨とする。
【００７９】
本実施形態の第４の特徴は、Ｐ-ＣＳＣＦであって、ＵＥから、非圧縮状態の「ＲＥＧＩＳＴＲＥＲ」を受信するように構成されている受信部１１と、非圧縮状態の「ＲＥＧＩＳＴＲＥＲ」に応じて、ＵＥに対して、圧縮処理の要否を示す設定情報を含む「４０１」を送信するように構成されている送信部１３とを具備しており、設定情報が、圧縮処理が不要であることを示している場合で、かつ、受信部１１が、非圧縮状態の「ＲＥＧＩＳＴＲＥＲ」を受信した場合に、送信部１３は、Ｉ-ＣＳＣＦに対して、非圧縮状態の「ＲＥＧＩＳＴＲＥＲ」を送信するように構成されていることを要旨とする。
【００８０】
本実施形態の第３及び第４の特徴において、ＵＥがローミングしているか否かに応じて、圧縮処理の要否を決定するようにするように構成されている決定部１２を具備してもよい。
【００８１】
本実施形態の第３及び第４の特徴において、ＵＥとの間で用いられているＩＰ-ＣＡＮ（無線アクセスネットワーク）の種別に応じて、圧縮処理の要否を決定するように構成されている決定部１２を具備してもよい。
【００８２】
本実施形態の第５の特徴は、ＵＥであって、Ｐ-ＣＳＣＦに対して、圧縮状態の「ＲＥＧＩＳＴＲＥＲ」を送信するように構成されている送信部２１と、Ｐ-ＣＳＣＦから、圧縮処理の要否を示す設定情報を含むエラー信号を受信するように構成されている受信部２２とを具備しており、送信部２１は、設定情報によって圧縮処理が不要であることが示されている場合、Ｐ-ＣＳＣＦに対して、「ＲＥＧＩＳＴＲＥＲ」を含む全てのＳＩＰ信号を非圧縮状態で送信するように構成されていることを要旨とする。
【００８３】
本実施形態の第６の特徴は、ＵＥであって、Ｐ-ＣＳＣＦに対して、非圧縮状態の「ＲＥＧＩＳＴＲＥＲ」を送信するように構成されている送信部２１と、Ｐ-ＣＳＣＦから、圧縮処理の要否を示す設定情報を含む「４１０」を受信するように構成されている受信部２２とを具備しており、送信部２１は、設定情報によって圧縮処理が不要であることが示されている場合、Ｐ-ＣＳＣＦに対して、「ＲＥＧＩＳＴＲＥＲ」を含む全てのＳＩＰ信号を非圧縮状態で送信するように構成されていることを要旨とする。
【００８４】
なお、上述のＵＥやＰ-ＣＳＣＦやＩ-ＣＳＣＦやＳ-ＣＳＣＦやＨＳＳ等の動作は、ハードウェアによって実施されてもよいし、プロセッサによって実行されるソフトウェアモジュールによって実施されてもよいし、両者の組み合わせによって実施されてもよい。
【００８５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥやＰ-ＣＳＣＦやＩ-ＣＳＣＦやＳ-ＣＳＣＦやＨＳＳ等内に設けられていてもよい。また、かかる記憶媒体及びプロセッサは、ディスクリートコンポーネントとしてＵＥやＰ-ＣＳＣＦやＩ-ＣＳＣＦやＳ-ＣＳＣＦやＨＳＳ等内に設けられていてもよい。
【００８７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８８】
ＨＳＳ…加入者管理サーバ
Ｐ-ＣＳＣＦ、Ｉ-ＣＳＣＦ、Ｓ-ＣＳＣＦ…ＳＩＰサーバ
ＵＥ…移動局
１１、２２…受信部
１２…決定部
１３、２１…送信部
【図１】
0005404661.tif 000002
【図２】
0005404661.tif 000003
【図３】
0005404661.tif 000004
【図４】
0005404661.tif 000005
【図５】
0005404661.tif 000006